(57)【要約】【課題】スピーカユニットから充分に迫力のある低音域の音を出力させ、迫力や臨場感に優れた興趣ある遊技を行ない得る遊技機を提供する。【解決手段】外郭をなす外枠１２に開閉自在に組付けた中枠１６にスピーカユニット２８を配設する。そして、中枠１６に設けられてスピーカユニット２８をその前面側を露出した状態で収容し、収容したスピーカユニット２８の背面側の空気室３０ａに開口する第１接続口３２が開設された収容箱体３０と、外枠１２における中枠１６の前面側下方に位置し、前方に開口する第２の開口部１４ａが開設された板部１４と、板部１４の裏側に設けられて第２の開口部１４ａに連通し、中枠１６の閉成時に収容箱体３０の第１接続口３２に連通するダクト部３４とを備え、収容箱体３０およびダクト部３４からスピーカユニット２８のエンクロージャ構造をなすよう構成した。【選択図】図１
2006320414.tif 000002
【特許請求の範囲】
【請求項１】
外郭をなす外枠に開閉自在に組付けた中枠にスピーカユニットを配設するよう構成された遊技機であって、
前記中枠に設けられて前記スピーカユニットをその前面側を露出した状態で収容し、収容したスピーカユニットの背面側の空間に開口する接続口が開設された収容部と、
前記外枠の前面側下方に位置し、前方に開口する開口部が開設された板部と、
前記板部の裏側に設けられて前記開口部に連通し、前記中枠の閉成時に該開口部を前記収容部の接続口に連通させるダクト部とを備え、
前記収容部およびダクト部から前記スピーカユニットのエンクロージャ構造をなすよう構成した
ことを特徴とする遊技機。
【請求項２】
前記ダクト部は、前記収容部の接続口から前記板部の開口部に近づくにつれて幅員が増大するよう形成されている請求項１記載の遊技機。
【請求項３】
前記開口部は前記板部の左右何れか一方の端部近傍に開設され、該板部における他方の端部近傍から該開口部へ向けて前記ダクト部が形成されている請求項２記載の遊技機。
【請求項４】
前記スピーカユニットを制御する音声制御装置を、前記中枠または中枠に配設される遊技盤の裏側に設けるようにした請求項１〜３の何れかに記載の遊技機。
【請求項５】
前記スピーカユニットの前側および前記開口部の前側にカバー部材を夫々配設するようにした請求項１〜４の何れかに記載の遊技機。
【発明の詳細な説明】
【技術分野】
【０００１】
本発明は、外郭をなす外枠に開閉自在に組付けた中枠にスピーカユニットを設けた遊技機に関するものである。
【背景技術】
【０００２】
例えば遊技機の代表例の一つであるパチンコ機には、所要位置にスピーカユニットが配設されており、遊技状態に応じて多様な音をスピーカユニットから発することにより、遊技の臨場感や興趣を高めるよう構成されている。ここで、遊技の臨場感や興趣を高めるには、スピーカユニットから低音域の音を、大音量で出力し得ることが望まれる。ところで、スピーカユニットから発せられる音の音域と音量は、スピーカユニットの口径に依存することが知られており、低音域の音を、大音量で出力するためには、大きなスピーカユニットを用いる必要がある。しかしながら、近年は、遊技盤の大型化が進み、各種部材を配設可能なスペースが限定されているのが現状であり、スピーカユニットとしてはできる限り小型のものを少数用いる構成とすることが求められている。このため、高性能なスピーカユニットを用いたとしても、その特性上、低音域の音を大音量で出力することは困難で、遊技の迫力不足を招来する難点が指摘される。そこで、バスレフタイプやバックロードホーンタイプのスピーカユニットを設け、スピーカユニットから出力される低音域を増強して遊技の臨場感や興趣を向上するようにしたパチンコ機が提案されている(例えば、特許文献１〜３参照)。
【０００３】
例えば、一般的なパチンコ機は、外郭をなす外枠に開閉自在に組付けられた中枠に遊技盤を配設し、該中枠に対して開閉自在に組付けられた前枠に遊技盤を透視保護するガラス板が配設される。そして、特許文献１に記載されたパチンコ機では、前記中枠にスピーカユニットおよびバックロードホーンを形成するよう構成されている。また、前記特許文献２には、前記前枠にスピーカユニットおよびバックロードホーンを形成する構成が開示されている。そして、特許文献３に開示されたパチンコ機では、外枠の外形形状に略合致する形状に中枠が形成され、該中枠に設けた下球皿の下方位置にスピーカユニットおよびバックロードホーンを形成するようになっている。このように、前記特許文献１〜３には、パチンコ機の中枠あるいは前枠にスピーカユニットおよびバックロードホーンを設けて、スピーカユニットから後方へ出力された「音」を増強するようになっている。
【特許文献１】特開２００２−１７２２１７号公報
【特許文献２】特開２００３−９３６１２号公報
【特許文献３】特開２００３−１３５６８１号公報
【発明の開示】
【発明が解決しようとする課題】
【０００４】
ところで、前記中枠の裏側には、パチンコ球が通過するオーバーフロー球用通路、ファール球用通路、アウト球用通路等の多くの通路が形成されると共に、各種制御装置や遊技機構成部品が多数配設されており、また同様に、前記前枠には遊技盤を透視保護するガラス板が組付けられることから、これら中枠や前枠にはスペース的な余裕はほとんどない。このため、これら中枠および前枠においてスピーカユニットやバックロードホーンを設ける部位は非常に限定されることから、スピーカユニットの更なる小型化や、バックロードホーンが短くなる難点を内在しており、スピーカユニットから出力される低音域を増強して充分に遊技の臨場感や興趣を向上しているとは云えないのが現状であった。
そこで、本発明は、スピーカユニットから充分に迫力のある低音域の音を出力させ、迫力や臨場感に優れた興趣ある遊技を行ない得る遊技機を提供することを目的とする。
【課題を解決するための手段】
【０００５】
前記課題を克服し、所期の目的を達成するため、本願の請求項１に係る遊技機は、
外郭をなす外枠(12)に開閉自在に組付けた中枠(16)にスピーカユニット(28)を配設するよう構成された遊技機であって、
前記中枠(16)に設けられて前記スピーカユニット(28)をその前面側を露出した状態で収容し、収容したスピーカユニット(28)の背面側の空間(30a)に開口する接続口(32)が開設された収容部(30)と、
前記外枠(12)の前面側下方に位置し、前方に開口する開口部(14a,52)が開設された板部(14)と、
前記板部(14)の裏側に設けられて前記開口部(14a,52)に連通し、前記中枠(16)の閉成時に該開口部(14a,52)を前記収容部(30)の接続口(32)に連通させるダクト部(34,50)とを備え、
前記収容部(30)およびダクト部(34,50)から前記スピーカユニット(28)のエンクロージャ構造をなすよう構成したことを要旨とする。
【０００６】
このように、スピーカユニットを中枠に配設し、スペース的に余裕のある外枠にエンクロージャ構造の一部をなすダクト部を設けることで、スピーカユニットから出力された音の低音域を増強して迫力や臨場感に優れた興趣ある遊技を行なうことが可能となる。
【０００７】
請求項２に係る遊技機は、前記ダクト部(34)は、前記収容部(30)の接続口(32)から前記板部(14)の開口部(14a)に近づくにつれて幅員が増大するよう形成されていることを要旨とする。
【０００８】
このように、スペース的に余裕のある外枠に所謂バックロードホーンタイプのダクト部を設けることで、該ダクト部の長大化を図り得るから、スピーカユニットから出力される音の低音域を増強して迫力や臨場感に優れた興趣ある遊技を行なうことが可能となる。また、前記ダクト部を、所謂バックロードホーンタイプに形成することで、低音域の増強をより効果的に行ない得るから、所謂歯切れのよい音を出力することができる。
【０００９】
請求項３に係る遊技機は、前記開口部(14a)は前記板部(14)の左右何れか一方の端部近傍に開設され、該板部(14)における他方の端部近傍から該開口部(14a)へ向けて前記ダクト部(34)が形成されていることを要旨とする。
【００１０】
このように、開口部を前記板部の左右何れか一方の端部近傍に開設し、該板部における他方の端部近傍から該開口部へ向けてダクト部を設けることで、板部の略全領域を利用してダクト部の全長を最大限長くすることができる。
【００１１】
請求項４に係る遊技機は、前記スピーカユニット(28)を制御する音声制御装置(42)を、前記中枠(16)または中枠に配設される遊技盤の裏側に設けるようにしたことを要旨とする。
【００１２】
このように、前記中枠または中枠に配設される遊技盤の裏側にスピーカユニットの音声制御装置を配設することで、該中枠を外枠に対して開閉した際に、該ピーカユニットと音声制御装置とを接続する配線の噛み込みを防止し得る。
【００１３】
請求項５に係る遊技機は、前記スピーカユニット(28)の前側および前記開口部(14a)の前側にカバー部材(38,40)を夫々配設するようにしたことを要旨とする。
【００１４】
このように、前記スピーカユニットの前側および前記開口部の前側にカバー部材を夫々配設することで、スピーカユニットの損傷や、開口部からダクト部内への異物の挿入を阻止することができる。
【発明の効果】
【００１５】
本発明に係る遊技機によれば、スピーカユニットから充分に迫力のある低音域の音を出力させ、迫力や臨場感に優れた興趣ある遊技を行ない得る。
【発明を実施するための最良の形態】
【００１６】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」・「後」、および「左」・「右」とは、図１に示すようにパチンコ機の遊技盤を正面側(遊技者側)から見た状態で指称するものとする。
【実施例】
【００１７】
実施例のパチンコ機１０は、図１に示すように、外郭をなす外枠１２に対して遊技盤(図示せず)やその他各種部材が配設される中枠１６が着脱および開閉自在に枢支されている。ここで、図２または図３に示すように、前記外枠１２は、上枠部材１２ａ、下枠部材１２ｂ、右枠部材１２ｃおよび左枠部材１２ｄを連結し、該下枠部材１２ｂの前端部側に、幕板や腰板等と称される所要の高さ寸法の板部１４を配設することで縦長矩形枠状に形成される。そして、前記上枠部材１２ａ、右枠部材１２ｃ、左枠部材１２ｄおよび板部１４により画成される開口寸法に整合する大きさに前記中枠１６を形成して、該中枠１６の閉成時に、前側からパチンコ機１０の裏側が見えないよう構成してある(図１参照)。また、前記中枠１６の前側には、前記遊技盤を透視保護するガラス板１８ａを組付けた前枠１８が設けられると共に、該前枠１８の下方位置に、パチンコ球を貯留する上球皿２０が配設される。
【００１８】
前記中枠１６における上球皿２０の下方位置には、パチンコ機１０(外枠１２)の左右方向の幅寸法に略整合する大きさに形成されたセット板２２が設けられており、該セット板２２の左右方向の略中央位置に、上球皿２０に貯留しきれないパチンコ球を貯留する下球皿２４を形成してある。また、前記セット板２２における下球皿２４の右位置には、ハンドル部材２６が配設されており、該ハンドル部材２６の打出し操作により、前記上球皿２０に貯留したパチンコ球が遊技盤の盤面に向けて打出されて所要の遊技が行なわれるようになっている。更に、前記中枠１６の裏側には、前記セット板２２の左位置に、遊技内容に合わせて効果音や音声を出力するスピーカユニット２８が配置されて、遊技内容に合わせてスピーカユニット２８から各種効果音や音声を発することで、遊技の興趣を高めるように構成されている。ここで、前記スピーカユニット２８は、前記中枠１６の裏側におけるスピーカユニット２８(後述する収容箱体３０)の上方位置に配設した音声制御装置４２(図３参照)に接続されており、該音声制御装置４２の制御に基づいてスピーカユニット２８から各種の音を出力するようになっている。
【００１９】
前記中枠１６およびセット板２２には、前記スピーカユニット２８と対応する位置に、前後に貫通する第１の開口部(図示せず)が開設されると共に、該第１の開口部に対応する位置に、メッシュ状の第１カバー部材(カバー部材)３８が取付けられている。なお、前記スピーカユニット２８は、前記第１開口部に臨ませた際に、前記中枠１６およびセット板２２により前面側(振動板の表側)と背面側(振動板の裏側)が分離されて、前面側のみが前方(遊技者側)に露出するようになっている。すなわち、前記中枠１６およびセット板２２が、スピーカユニット２８の前後を隔離する所謂バッフル板として機能し、スピーカユニット２８の前面側から出力された音だけが、前記第１の開口部(第１カバー部材３８)を介して前方(遊技者側)に伝わると共に、前記第１カバー部材３８により前側からスピーカユニット２８に直接触れないよう構成してある。
【００２０】
また、前記中枠１６の裏側には、前記スピーカユニット２８の背面側に所要の空間(以下空気室３０ａという)を画成した状態で、該スピーカユニット２８の背面側を覆う収容箱体(収容部)３０を取付けてある。なお、前記収容箱体３０は、ゴムパッキン等のシール材を介して前記中枠１６の裏側に密着するよう取付けられており、前記スピーカユニット２８の背面側を略完全に隔離している。すなわち、前記スピーカユニット２８の前面側に出力された音波と、背面側に出力された音波とが、相互に干渉するのを防止している。また、前記収容箱体３０の下部位置には、前記空気室３０ａに開口する第１接続口(接続口)３２が開設されており(図１参照)、前記スピーカユニット２８を作動した際に、スピーカユニット２８の背面側から空気室３０ａ内に出力された音波が、該第１接続口３２を介して収容箱体３０の外部に伝播するようになっている。なお、実施例では、スピーカユニット２８として中音再生用のコーン形スピーカユニット２８を採用している。
【００２１】
また、図１または図３に示すように、前記板部１４の裏側には、該板部１４の略全幅に亘って延在する通路形成部材３３が配設されており、該通路形成部材３３と板部１４とにより、左方から右方へ向かうにつれて幅員が増大するホーン形状のダクト部３４を形成している。すなわち、前記ダクト部３４は、左方から右方へ向かうにつれて開口面積が漸増するようになっている。また、前記ダクト部３４の開口面積が最小となる開口端部(以下第２接続口３６という。図１または図２参照)は、前記板部１４の左端部近傍で前記中枠１６へ向けて開口するよう開設されると共に、前記中枠１６の閉成時に、前記収容箱体３０に開設した前記第１接続口３２が第２接続口３６に密着状態で連通接続するように構成されている。すなわち、前記中枠１６を閉成することで、収容箱体３０およびダクト部３４(板部１４および通路形成部材３３)がスピーカユニット２８のエンクロージャ構造をなすようになっている。このため、前記スピーカユニット２８の背面側から収容箱体３０の空気室３０ａ内に出力された音波は、前記第１接続口３２および第２接続口３６を介してダクト部３４内に伝播する。なお、前記通路形成部材３３は、ゴムパッキン等のシール材(図示せず)を介して前記板部１４の裏側に密着状態で取付けられている。
【００２２】
一方、前記板部１４の右端部近傍(ダクト部３４の開口面積が最大となる部位)には、前方に開口して前記ダクト部３４内に貫通する第２の開口部１４ａ(開口部)を開設してある(図２参照)。従って、前記第１および第２接続口３２,３６を介して前記収容箱体３０の空気室３０ａから前記ダクト部３４内に伝播した音波は、前記第２の開口部１４ａを介してパチンコ機１０の前方(遊技者側)へ出力されるようになっている。換言すると、前記ダクト部３４は、スピーカユニット２８のエンクロージャ構造における所謂バックロードホーンとして機能し、スピーカユニット２８の背面側から前記空気室３０ａに出力された音波がダクト部３４を通過することで、その低音域を増強して第２の開口部１４ａから出力されるよう構成してある。なお、前記板部１４には、前記第２の開口部１４ａと対応する位置にメッシュ状の第２カバー部材(カバー部材)４０を取付けてあり、パチンコ機１０の前側からダクト部３４内への手指や異物の挿入を防止している。
【００２３】
〔実施例の作用〕
次に、実施例に係る遊技機の作用につき説明する。遊技者が前記ハンドル部材２６を操作してパチンコ球を遊技盤面に打出して所要の遊技が開始されると、前記音声制御装置４２の制御に基づいて前記スピーカユニット２８から効果音や音声等が発せられる。ところで、一般的にスピーカユニット２８から音が出力されるときには、振動板を境界としてスピーカユニット２８の前後において逆の作用が行なわれる。具体的には、例えば振動板が前方に動くときには、スピーカユニット２８の前面側では空気が押されて「密」となる一方で、背面側は空気の薄い「疎」となり、振動板が後方に動くときには、スピーカユニット２８の背面側では空気が押されて「密」となる一方で、前面側は空気の薄い「疎」となる。すなわち、スピーカユニット２８の前後には、逆位相の関係となる音波が出力されることとなる。この場合に、前記スピーカユニット２８の前面側から出力された音波と、背面側から出力された逆位相の音波とが干渉すると、互いに打消しあって遊技者に伝わる音が不鮮明になることが知られている。殊に、波長の長い低音域の音に対する影響が顕著で、迫力や臨場感の低下を招来する要因となる。
【００２４】
この実施例では、スピーカユニット２８の前面側と背面側とを、バッフル板として機能する中枠１６(セット板２２)により分離すると共に、該スピーカユニット２８の背面側を覆う収容箱体３０を、該中枠１６の裏側に密着するよう構成してあるから、該スピーカユニット２８の前面側と背面側とを確実に隔離し得る。このため、スピーカユニット２８の前面側から出力される音波と、背面側から出力される音波との干渉を効果的に抑制できるから、音が不鮮明になるのは防止され、鮮明な音により遊技演出を行なうことができる。
【００２５】
また、実施例では中枠１６を閉成した状態(すなわち、遊技が行なわれる状態)では、該中枠１６に設けた収容箱体３０の第１接続口３２と、外枠１２の板部１４に設けたダクト部３４の第２接続口３６とが密着状態で接続して、該収容箱体３０とダクト部３４によりエンクロージャ構造をなすよう構成すると共に、該ダクト部３４として、音の入力側(すなわち第２接続口３６)から出力側(すなわち板部１４の第２の開口部１４ａ)へ向かうにつれて開口面積が漸増するホーン状の所謂バックロードホーンタイプを採用している。従って、スピーカユニット２８の背面側から収容箱体３０に出力された音は、ダクト部３４を通過することにより低音域が増強されて、前記第２の開口部１４ａから遊技者側に出力されるから、遊技の臨場感や興趣を向上する効果を期待し得る。なお、前記中枠１６と収容箱体３０との間、および前記板部１４とダクト部３４との間にシール材を設けて気密性を高めるよう構成してある。従って、これら部材間１６,３０(１４,３４)からスピーカユニット２８の背面側から出力された音波がパチンコ機１０の前方に漏れるのを防止でき、スピーカユニット２８の前後に出力された音波の干渉による音質の低下を阻止して、前記第２の開口部１４ａからクリアな音を出力できる。
【００２６】
ここで、バックロードホーンタイプのエンクロージャでは、充分な性能(すなわち低音域の増強効果)を発揮するには、前記ダクト部３４の全長をできる限り長くすることが求められる。実施例では、スピーカユニット２８を中枠１６に配設すると共に、スペース的に余裕のある外枠１２(板部１４の裏側)にバックロードホーンとしてのダクト部３４を設けたことで、該板部１４の略全幅を利用してダクト部３４の全長を長くすることができる。このため、ダクト部３４を他の部位(中枠１６や前枠１８等)に設けた場合に較べて、スピーカユニット２８から出力される低音域を効果的に増強して迫力や臨場感に優れると共に、所謂歯切れのよい高音質(高品質)な音を出力することができ、より一層興趣ある遊技演出を行ない得る利点がある。殊に、実施例のように、前記板部１４の右端部近傍に前記第２の開口部１４ａを設けると共に、該板部１４の左端部近傍に前記収容箱体３０(空気室３０ａ)に接続する第２接続口３６を設けることで、板部１４の略全幅を最大限利用してダクト部３４を形成することができるから、該ダクト部３４の全長を最大限長くすることができ、低音域の増強をより効果的に図り得る利点がある。
【００２７】
ところで、前記スピーカユニット２８、および該スピーカユニット２８を制御する音声制御装置４２の夫々を、相対的に開閉する部材(例えば外枠１２と中枠１６や、中枠１６と前枠１８等)に、別々に配設するよう構成した場合には、中枠１６(前枠１８)を外枠１２(中枠１６)に対して開閉した際に、該スピーカユニット２８と音声制御装置４２とを接続する配線を噛み込んで断線を生ずる虞がある。殊に、前記中枠１６や前枠１８は、パチンコ機１０のメンテナンス等に際して開閉される頻度が高いことから、該中枠１６や前枠１８の開閉に際して、作業者に無用の注意負担を強いることとなり、作業が煩雑になる欠点が指摘される。これに対して、実施例では、前記スピーカユニット２８および音声制御装置４２の夫々を前記中枠１６に配設し、前記板部１４の裏側(外枠１２)にはダクト部３４のみを設ける構成としたことで、中枠１６を開閉した際にスピーカユニット２８と音声制御装置４２とを接続する配線を噛み込むことがなく、メンテナンス等の作業性が向上する利点がある。
【００２８】
なお、実施例では、前記スピーカユニット２８の前面側に第１カバー部材３８を設けるようにしたから、該スピーカユニット２８の損傷を防止できる。また同様に、前記ダクト部３４が外部に開口する第２の開口部１４ａに第２カバー部材４０を設けたことで、該ダクト部３４内に遊技者の手指や異物が挿入されるのを防止でき、該ダクト部３４の損傷等を防ぐことができる。なお、前記第１および第２カバー部材３８,４０の夫々をメッシュ状に形成したので、前記スピーカユニット２８の前面側から出力される音や、ダクト部３４から出力される音波が伝播するのを阻害することはない。
【００２９】
〔変更例〕
なお、本発明に係る遊技機としては、実施例のものに限られるものではなく、種々の変更が可能である。
実施例では、外枠における板部の右端部近傍に第２の開口部を設けると共に、該板部の左端部近傍に第２接続口を設け、ダクト部を第２接続口から第２の開口部に向かうにつれて幅員が増大するよう形成したが、これに限られるものではなく、前記板部の左端部近傍に第２の開口部を設けると共に、右端部近傍に第２接続口を設けるよう構成しても、実施例と同様の作用効果を得ることができる。なお、この場合には、スピーカユニットも中枠の右下方位置に配設することが好ましい。すなわち、前記板部の左右何れか一方の端部近傍に第２の開口部を開設すると共に、該板部における他方の端部近傍に第２接続口を形成して、該第２接続口から第２の開口部へ向けてダクト部が延在するよう形成すればよい。
【００３０】
実施例では、外枠の板部に形成するダクト部を第２接続口から第２の開口部に近づくにつれて幅員が増大する、所謂バックロードホーンタイプに形成したが、これに限られるものではない。例えば、図４または図５に示すように、板部１４の裏側に、左右方向に延在し、かつ幅員が一定なダクト部５０を形成すると共に、板部１４の所要位置(図４または図５では左右方向の略中央位置)に第２の開口部５２を開設するよう構成して、収容箱体３０とダクト部３４により所謂位相反転形のエンクロージャ構造をなすようにしてもよい。このように、位相反転形のエンクロージャ構造を採用し、スピーカユニット２８の背面側から出力された音波の位相を反転させたもとで前記板部１４の第２の開口部５２から出力することで、スピーカユニット２８の前面側から出力された音波と同じ位相として低音域の音を増強して鮮明な音の再生を可能とし得る。更に、図６に示すように、前記板部１４に、前記第２の開口部５２から後方(ダクト部５０内)へ延在する筒状のバスレフポート５４を形成したバスレフタイプとするようにしてもよい。この場合には、ダクト部５０の内容積と、バスレフポート５４の長さを調整することで、増強する低音域の周波数を変更することができる。なお、図４〜図６において、実施例と同一の部材には同一の符号を付してある。また、符号５３は変更例に係る第２の開口部５０に取付けられた第２カバー部材(カバー部材)を示すものである。
【００３１】
なお、図４に示す変更例のパチンコ機１０では、スピーカユニット２８を制御する音声制御装置４２を、遊技盤の裏側に配置する構成を採用している。このように、中枠１６に配設される遊技盤の裏側にスピーカユニット２８を制御する音声制御装置４２を配置するようにしても、中枠１６を開閉した際に該スピーカユニット２８と音声制御装置４２とを接続する配線を噛み込むのを防止することができる。
【００３２】
実施例では、スピーカユニットを中枠の左下端部近傍に配設するよう構成したが、その他任意の位置に配設することができ、外枠に対して中枠を閉成した際に、収容箱体(収容部)の第１接続口(接続口)が前記ダクト部の第２接続口に連通し得るよう構成すればよい。
【００３３】
実施例では、スピーカユニットとしてコーン形スピーカユニットを採用しているが、これに限られるものではなく、その他従来公知の各種タイプのスピーカユニットを用いることができる。また、実施例のような中音再生用のスピーカユニットに限らず、その他の音域再生用スピーカユニットであってもよい。
【００３４】
実施例では、本発明を実施する遊技機としてパチンコ機を例示して説明したが、これに限定されるものではなく、外郭をなす外枠に開閉自在に組付けた中枠にスピーカユニットを配設するよう構成した遊技機であれば、アレンジボール機等の従来公知の各種遊技機に好適に採用し得る。
【図面の簡単な説明】
【００３５】
【図１】実施例に係るパチンコ機を示す正面図である。
【図２】実施例に係る外枠を示す正面図である。
【図３】実施例に係るパチンコ機の中枠を外枠に対して閉成した状態を背面側から示す要部斜視図である。
【図４】変更例に係るパチンコ機を示す正面図である。
【図５】図４のパチンコ機を板部位置で横断して示す平面図である。
【図６】別の変更例に係るパチンコ機を板部位置で横断して示す平面図である。
【符号の説明】
【００３６】
１２  外枠，１４  板部，１４ａ  第２の開口部(開口部)，１６  中枠
２８  スピーカユニット，３０  収容箱体(収容部)，３０ａ  空気室(空間)
３２  第１接続口(接続口)，３４  ダクト部，３８  第１カバー部材(カバー部材)
４０  第２カバー部材(カバー部材)，４２  音声制御装置，５０  ダクト部
５２  第２の開口部(開口部)，５３  第２カバー部材(カバー部材)
【図１】
2006320414.tif 000003
【図２】
2006320414.tif 000004
【図３】
2006320414.tif 000005
【図４】
2006320414.tif 000006
【図５】
2006320414.tif 000007
【図６】
2006320414.tif 000008